(57)【要約】【課題】開口部を簡単に閉塞でき開口部から切屑が飛散することを防止できる帯鋸盤を提供する。【解決手段】無端状の帯鋸刃Ｂが巻回されて回転可能な一対のホイールの間に、帯鋸刃によって切断されるワークを載置するテーブが配置され、一方のホイールを収容した上部ハウジングと他方のホイールを収容した下部ハウジングとの間に立設された支柱１０と、帯鋸刃を通過させる通路５１を支柱に隣接して区画する区画壁５０と、が設けられ、支柱と区画壁の前面との間に、帯鋸刃を通路に対して出し入れするために通路と連通させた開口部５２が、支柱と平行に延設される帯鋸盤１において、開口部には、弾性材料によって形成されて開口部を閉塞する閉塞部材６０を挿脱可能に差し込んだ。【選択図】図４
2011098402.tif 000002
【特許請求の範囲】
【請求項１】
無端状の帯鋸刃が巻回されて回転可能な一対のホイールの間に、前記帯鋸刃によって切断されるワークを載置するテーブルが配置され、一方の前記ホイールを収容した上部ハウジングと他方の前記ホイールを収容した下部ハウジングとの間に立設された支柱と、前記帯鋸刃を通過させる通路を前記支柱に隣接して区画する区画壁と、が設けられ、前記支柱と前記区画壁の前面との間に、前記帯鋸刃を前記通路に対して出し入れするために該通路と連通させた開口部が、前記支柱と平行に延設される帯鋸盤において、
前記開口部には、弾性材料によって形成されて該開口部を閉塞する閉塞部材を挿脱可能に差し込んだことを特徴とする帯鋸盤。
【請求項２】
前記閉塞部材は、前記開口部を閉塞した状態で、前記区画壁内における前記支柱の外側面を全長に亘って押圧する押圧部を備えることを特徴とする請求項１に記載の帯鋸盤。
【請求項３】
前記閉塞部材の側面に、前記区画壁の開口部側端部が差し込み嵌合する切り欠き溝を形成したことを特徴とする請求項１又は２に記載の帯鋸盤。
【発明の詳細な説明】
【技術分野】
【０００１】
この発明は、無端状の帯鋸刃が巻回されて回転可能な一対のホイールをそれぞれ収容する上部ハウジングと下部ハウジングとの間に、前記帯鋸刃を通過させる通路が設けられた帯鋸盤に関する。
【背景技術】
【０００２】
例えば、特許文献１には、一対のホイールの間に、無端状の帯鋸刃によって切断されるワークを載置するテーブルが配置され、一対のホイールの内の一方のホイールを収容した上部のハウジング部と、他方のホイールを収容した下部のハウジング部とを連結する側方部分を、ワークを切断する帯鋸刃が通過する通路とした帯鋸盤が開示されている。
【先行技術文献】
【特許文献】
【０００３】
【特許文献１】ドイツ公報ＤＥ２９９０４２７２Ｕ１
【発明の概要】
【発明が解決しようとする課題】
【０００４】
ところで、一般に、帯鋸盤では、上述した上部のハウジング部と下部のハウジング部との間に立設された支柱と、上記の帯鋸刃の通路を区画する区画壁の前面との間に、該通路と連通させた開口部が、支柱と平行に延設されている。この開口部は、帯鋸刃を前記通路に対して出し入れするために用いられている。
【０００５】
しかしながら、上記の開口部を設けたままで、帯鋸刃を用いてワークを切断すると、区画壁から開口部を通じ、帯鋸刃に付着した切屑が飛散するといった不都合が生じていた。
【０００６】
この発明は、このような状況に鑑み提案されたものであって、開口部を簡単に閉塞でき該開口部から切屑が飛散することを防止できる帯鋸盤を提供することを目的とする。
【課題を解決するための手段】
【０００７】
請求項１の発明に係る帯鋸盤は、無端状の帯鋸刃が巻回されて回転可能な一対のホイールの間に、前記帯鋸刃によって切断されるワークを載置するテーブルが配置され、一方の前記ホイールを収容した上部ハウジングと他方の前記ホイールを収容した下部ハウジングとの間に立設された支柱と、前記帯鋸刃を通過させる通路を前記支柱に隣接して区画する区画壁と、が設けられ、前記支柱と前記区画壁の前面との間に、前記帯鋸刃を前記通路に対して出し入れするために該通路と連通させた開口部が、前記支柱と平行に延設される帯鋸盤において、前記開口部には、弾性材料によって形成されて該開口部を閉塞する閉塞部材を挿脱可能に差し込んだことを特徴とする。
【０００８】
請求項２の発明は、請求項１において、前記閉塞部材は、前記開口部を閉塞した状態で、前記区画壁内における前記支柱の外側面を全長に亘って押圧する押圧部を備えることを特徴とする。
【０００９】
請求項３の発明は、請求項１又は２において、前記閉塞部材の側面に、前記区画壁の開口部側端部が差し込み嵌合する切り欠き溝を形成したことを特徴とする。
【発明の効果】
【００１０】
請求項１の発明に係る帯鋸盤によれば、開口部に閉塞部材を差し込んで挿着するだけで、簡単に開口部を閉塞できる。これにより、帯鋸刃に付着した切屑が、前記区画壁から開口部を通じて飛散することを防止できる。
さらに、閉塞部材を開口部から取り外すことにより、簡単に開口部を開放させることができる。これにより、例えば、帯鋸刃を交換するために、前記通路に対して帯鋸刃の出し入れが必要になった場合には、開口部を通じて通路に対し容易に帯鋸刃を出し入れできる。
請求項２の発明によれば、区画壁内においては、押圧部が、支柱の外側面の全長に密着可能となる。これにより、押圧部と前記外側面との間に隙間が生じなくなるため、帯鋸刃に付着した切屑が、区画壁内から前記外側面に沿って開口部へ向かうことを阻止できる。
請求項３の発明によれば、切り欠き溝に開口部側端部が差し込み嵌合されると、閉塞部材が区画壁からずれることが防がれて、該閉塞部材を区画壁に安定して支持させることができる。これに伴って、開口部に閉塞部材が安定して差し込まれて、該開口部の閉塞性能が良好になる。
【図面の簡単な説明】
【００１１】
【図１】本発明の実施形態の帯鋸盤の正面図である。
【図２】同帯鋸盤が備える上部ホイールハウジングを下方から見た断面図である。
【図３】閉塞部材を取り付けた同帯鋸盤の部分拡大正面図である。
【図４】閉塞部材を取り付けた同帯鋸盤の部分拡大断面図である。
【図５】閉塞部材の斜視図である。
【発明を実施するための形態】
【００１２】
本発明の実施形態を、図１ないし図５を参照しつつ説明する。図１に示す帯鋸盤１は、コラム１０と、上部ホイールハウジング２０と、下部ホイールハウジング３０と、ワークテーブル４０と、帯鋸刃ハウジング５０とを備えている。
【００１３】
コラム１０は、架台１１の左側（図１中の左方）に立設されている。コラム１０の上端には、上部ホイールハウジング２０が設けられている。上部ホイールハウジング２０の内部には、従動ホイール（図示せず。）が、回転自在に収容されている。なお、上部ホイールハウジング２０は、本発明の上部ハウジングの一例である。
【００１４】
図２に示すように、上部ホイールハウジング２０の内部には、照明装置２１が設けられている。照明装置２１は、６個の発光ダイオード（図示せず。）を保持している。この照明装置２１は、後述するワークに向けて、放射状に投光する。
【００１５】
下部ホイールハウジング３０は、架台１１上であって、コラム１０の下端に設けられている。下部ホイールハウジング３０の内部には、駆動ホイール（図示せず。）が、回転自在に収容されている。この駆動ホイールは、モータの回転軸に取り付けられている。なお、コラム１０は、本発明の支柱の一例であり、下部ホイールハウジング３０は、本発明の下部ハウジングの一例である。
【００１６】
ワークテーブル４０は、帯鋸盤１の上下方向に所定の距離だけ離れた上記の上部ホイールハウジング２０（従動ホイール）と上記の下部ホイールハウジング３０（駆動ホイール）との間に設けられている。ワークテーブル４０上には、ワーク（図示せず。）が載置される。ワークテーブル４０には、帯鋸盤１の上下方向に該ワークテーブル４０を貫通するスリット（図示せず。）が開口している。ワークテーブル４０上には、傾斜定規４１Ａと、平行定規４１Ｂとが設けられている。
【００１７】
上記の従動ホイール及び駆動ホイールには、無端状の帯鋸刃Ｂ（図１参照。）が巻回されている。上記のモータを駆動させて、駆動ホイールを回転させることにより、帯鋸刃Ｂを、帯鋸盤１の上下方向に沿い、上記のスリットを通過して、上部ホイールハウジング２０から下部ホイールハウジング３０に向けて走行させる。帯鋸刃Ｂは、ワークテーブル４０上に位置決めされたワークを切断する。なお、従動ホイールは、本発明の一方のホイールの一例であり、駆動ホイールは、本発明の他方のホイールの一例である。
【００１８】
帯鋸刃ハウジング５０は、図１ないし図４に示すように、上記のコラム１０に隣接して帯鋸板１の上下方向に延設されている。図４に示すように、帯鋸刃ハウジング５０の内部には、帯鋸刃Ｂが通過可能な帯鋸刃通路５１が設けられている。このため、帯鋸刃ハウジング５０により、帯鋸刃通路５１は、コラム１０に隣接して区画される。上記の駆動ホイールを回転させることに伴って、帯鋸刃通路５１内では、帯鋸刃Ｂが、帯鋸盤１の上下方向に沿い、下部ホイールハウジング３０から上部ホイールハウジング２０に向けて走行する。なお、帯鋸刃ハウジング５０は、本発明の区画壁の一例である。
【００１９】
加えて、図４中の二点鎖線で示すように、コラム１０と、帯鋸刃ハウジング５０の前面との間には、開口部５２が設けられている。開口部５２は、コラム１０と平行に帯鋸盤１の上下方向に沿って延設されている。開口部５２は、帯鋸刃通路５１と連通している。
【００２０】
開口部５２は、以下に説明するように、帯鋸刃Ｂを交換する際に、帯鋸刃通路５１に対して該帯鋸刃Ｂを出し入れするために用いられる。帯鋸刃Ｂを交換する際には、ワークテーブル４０からワークを取り外した上で、上部ホイールハウジング２０及び下部ホイールハウジング３０のそれぞれの扉を開放する。その後、従動ホイール及び駆動ホイールから古い帯鋸刃Ｂを取り外して開口部５２及び上記のスリットを通過させて、上部ホイールハウジング２０及び下部ホイールハウジング３０の外部へ、古い帯鋸刃Ｂを取り出す。続いて、新しい帯鋸刃Ｂを、上部ホイールハウジング２０及び下部ホイールハウジング３０の外部から開口部５２及び前記スリットを通過させて、従動ホイール及び駆動ホイールに巻回する。
【００２１】
本実施形態では、上述した帯鋸刃Ｂの交換を可能としつつ、開口部５２からワークの切屑が飛散することを防ぐため、後述のように、開口部５２に閉塞部材６０を挿脱可能とした。開口部５２からワークの切屑が飛散することを防ぐ場合には、開口部５２に閉塞部材６０を挿着する。
【００２２】
閉塞部材６０は、ポリプロピレン等の合成樹脂（弾性材料）によって形成されている。図３ないし図５に示すように、閉塞部材６０は、嵌合片部６１と、押圧片部６５とによって、断面が略Ｌ字形状を成す長尺部材である。
【００２３】
嵌合片部６１は、該嵌合片部６１の側面に形成された切り欠き溝６２（図４参照。）を用い、帯鋸刃ハウジング５０の前面と嵌合する。切り欠き溝６２は、開口部５２の延設方向と平行な嵌合片部６１の長手方向に沿うように、開口部５２の側端部５３（図４参照。）に対向する嵌合片部６１の側面から該嵌合片部６１の左端に向けて凹設されている。開口部５２の延設方向における切り欠き溝６２の一端は、嵌合片部６１の下端に達しており、該延設方向における切り欠き溝６２の他端は、嵌合片部６１の天面部６１Ａに接して該嵌合片部６１の内部に位置する。なお、嵌合片部６１の側面は、本発明の閉塞部材の側面の一例である。
【００２４】
図５に示すように、突出片部６３は、嵌合片部６１の上端部の外面から前方へ突出している。押圧片部６５は、嵌合片部６１の左端縁から該嵌合片部６１の背面側に向けて伸延している。
【００２５】
次に、閉塞部材６０を開口部５２に挿脱する方法を説明する。閉塞部材６０は、以下に説明するようにして、開口部５２に挿着される。例えば、作業者は、上部ホイールハウジング２０の扉を開放した状態で、帯鋸刃ハウジング５０の上端から、図４に示すように、開口部５２の側端部５３に、切り欠き溝６２を差し込む。
【００２６】
その後、作業者は、上記の天面部６１Ａが帯鋸刃ハウジング５０の上端面に当接するまで、指で突出片部６３を押し下げながら、下部ホイールハウジング３０側に向けて、閉塞部材６０を移動させる。これによって、図４に示すように、切り欠き溝６２に側端部５３が嵌合することにより、嵌合片部６１が側端部５３に嵌合して安定的に支持されると共に、図１及び図３に示すように、嵌合片部６１が、帯鋸刃ハウジング５０の上下方向における所定の位置に位置決めされる。
【００２７】
加えて、押圧片部６５は、合成樹脂によって形成されていることから変形し易い。したがって、嵌合片部６１が側端部５３に嵌合した状態で、押圧片部６５が、開口部５２から帯鋸刃ハウジング５０内へ入り込むと、該帯鋸刃ハウジング５０内におけるコラム１０の外側面１５を全長に亘って押圧するように変形する。このため、押圧片部６５が前記外側面１５に密着可能となり、押圧片部６５と外側面１５との間に隙間が生じなくなる。これにより、開口部５２が閉塞される。なお、押圧片部６５は、本発明の押圧部の一例である。
【００２８】
一方、閉塞部材６０は、以下に説明するようにして、開口部５２から取り外しできる。作業者は、上述したような閉塞部材６０を開口部５２に挿着する場合とは逆に、指で突出片部６３を押し上げながら、上部ホイールハウジング２０側に向けて、閉塞部材６０を徐々に移動させる。これにより、上記の切り欠き溝６２が上記の側端部５３に沿って摺動すると共に、押圧片部６５が上記の外側面１５に沿って摺動しながら、上部ホイールハウジング２０側に向けて、閉塞部材６０が押し上げられる。
【００２９】
その後、作業者が、上述の切り欠き溝６２の一端が帯鋸刃ハウジング５０の上端面を越えるまで、閉塞部材６０を押し上げると、切り欠き溝６２と側端部５３との嵌合が解除されることにより、嵌合片部６１と側端部５３との嵌合が解除されると共に、押圧片部６５が、弾性変形して外側面１５を押圧する前の状態に戻る。その結果として、開口部５２から閉塞部材６０を抜き取ることができ、コラム１０と帯鋸刃ハウジング５０の前面との間に、開口部５２を開放させることができる。
【００３０】
＜本実施形態の効果＞
本実施形態の帯鋸盤１では、上述したように、開口部５２に、閉塞部材６０を挿脱可能に差し込むことができ、該開口部５２に閉塞部材６０を差し込んで挿着することで、開口部５２を閉塞した。このため、開口部５２に閉塞部材６０を差し込むだけで、簡単に開口部５２を閉塞できる。これにより、例えば、帯鋸刃Ｂに付着していた切屑が帯鋸刃ハウジング５０（帯鋸刃通路５１）内に滞留していた場合であっても、帯鋸刃Ｂの走行によって発生した回転気流により、該切屑が開口部５２を通じて帯鋸刃ハウジング５０内から飛散することを防止できる。
さらに、上述の如く、開口部５２に差し込んだ閉塞部材６０を、該開口部５２から取り外すことにより、簡単に開口部５２を開放させることができる。これにより、上述したような古い帯鋸刃Ｂを新しい帯鋸刃Ｂに交換する際には、開口部５２を通じて帯鋸刃通路５１から古い帯鋸刃Ｂを取り出したり、開口部５２を通じて帯鋸刃通路５１に対し、容易に新しい帯鋸刃Ｂを入れることができる。
【００３１】
また、上述したように、押圧片部６５は、開口部５２を閉塞した状態で、帯鋸刃ハウジング５０内におけるコラム１０の外側面１５を全長に亘って押圧するように変形するため、該帯鋸刃ハウジング５０内においては、押圧片部６５が、前記外側面１５に密着可能となる。これにより、押圧片部６５と外側面１５との間に隙間が生じなくなるため、帯鋸刃Ｂに付着していた切屑が、帯鋸刃ハウジング５０内から外周面１５に沿って開口部５２に向かうことを阻止できる。
【００３２】
さらに、上述したように、開口部５２の側端部５３に、切り欠き溝６２を差し込んで嵌させることにより、閉塞部材６０が帯鋸刃ハウジング５０からずれることが防がれて、該閉塞部材６０を帯鋸刃ハウジング５０に安定して支持させることができる。これに伴って、開口部５２に閉塞部材６０が安定して差し込まれて、該開口部５２の閉塞性能が良好になる。
【００３３】
本発明は、上述した実施形態に限定されるものではなく、発明の趣旨を逸脱しない範囲内において構成の一部を適宜変更して実施できる。例えば、上述した実施形態では、閉塞部材６０が、上部ホイールハウジング２０と下部ホイールハウジング３０との間に設けられた帯鋸刃通路５１と連通する開口部５２を閉塞する例を説明したが、これに限定されない。例えば、上述した実施形態とは異なり、閉塞部材は、上述の従動ホイールを収容した左側ホイールハウジングと、上述の駆動ホイールを収容した右側ホイールハウジングとの間を連結する帯鋸刃通路と連通する開口部を閉塞するものであってもよい。
【００３４】
また、上述した実施形態では、合成樹脂によって、閉塞部材６０を形成した例を示したが、これに限定されず、合成ゴム等の弾性材料によって、閉塞部材６０を形成してもよい。
【符号の説明】
【００３５】
１・・帯鋸盤、１０・・コラム、１５・・コラムの外側面、２０・・上部ホイールハウジング、３０・・下部ホイールハウジング、４０・・ワークテーブル、５０・・帯鋸刃ハウジング、５１・・帯鋸刃通路、５２・・開口部、５３・・開口部の側端部、６０・・閉塞部材、６２・・切り欠き溝、６５・・押圧片部、Ｂ・・帯鋸刃
【図１】
2011098402.tif 000003
【図２】
2011098402.tif 000004
【図３】
2011098402.tif 000005
【図４】
2011098402.tif 000006
【図５】
2011098402.tif 000007